(57)【要約】      （修正有）【課題】食卓にて手軽にかつ必要量だけ板海苔を細断可能な板海苔細断用シュレッダーを提供する。【解決手段】板海苔細断用シュレッダー１は、細断ユニット２と、細断ユニット２を収納する収納ケース３とを備える。収納ケース３は、海苔挿入口４１が設けられた第１カバー４と、海苔排出口が設けられた第２カバー５とを備える。第１・第２カバー４、５は、収納ケース３を開閉自在にするよう互いに係合し、かつ、細断ユニット２を収納ケース３から出し入れ自在に保持する。細断ユニット２や第１・第２カバー４、５が樹脂製である。細断ユニット２は、一対を成す第１・第２軸棒６、７を備える。第１・第２軸棒６、７には、軸方向に離間しかつ外周上に第１・第２刃６３、７３が付いた第１・第２円形板６２、７２が設けられる。第２円形板７２は、その一部が軸方向において隣接する第１円形板６２、６２間に入り込むよう配置されている。【選択図】図１
0003228492.tif 000002
【実用新案登録請求の範囲】
【請求項１】
細断ユニットと、
前記細断ユニットを収納する収納ケースと、
を備えた板海苔細断用シュレッダーであって、
前記収納ケースは、海苔挿入口が設けられた第１カバーと、海苔排出口が設けられた第２カバーとを備え、
第１・第２カバーは、前記収納ケースを開閉自在にするよう互いに係合し、かつ、前記細断ユニットを前記収納ケースから出し入れ自在に保持すること
を特徴とする板海苔細断用シュレッダー。
【請求項２】
前記細断ユニットが樹脂製であること
を特徴とする請求項１に記載の板海苔細断用シュレッダー。
【請求項３】
第１・第２カバーは、互いに分離可能に係合し、かつ、樹脂製であること
を特徴とする請求項１又は２に記載の板海苔細断用シュレッダー。
【請求項４】
前記細断ユニットは、一対を成す第１・第２軸棒を備え、
第１・第２軸棒には、軸方向に離間しかつ外周上に第１・第２刃が付いた第１・第２円形板が設けられ、
第２円形板は、その一部が軸方向において隣接する第１円形板間に入り込むよう配置されていること
を特徴とする請求項１〜３のいずれかに記載の板海苔細断用シュレッダー。
【請求項５】
第１軸棒の基端には回転ハンドルが設けられ、かつ、第１軸棒の遠端には駆動ギアが設けられ、
第２軸棒の遠端には、前記駆動ギアに噛み合い、かつ、第１軸棒の回転を第２軸棒に伝達する従動ギアが設けられていること
を特徴とする請求項４に記載の板海苔細断用シュレッダー。
【請求項６】
第１カバーは、第１・第２軸棒の第１・第２円形板の断面に対応した円弧断面を有し、第１・第２円形板の円周からの距離を一定に保つこと
を特徴とする請求項４又は５に記載の板海苔細断用シュレッダー。
【考案の詳細な説明】
【技術分野】
【０００１】
本考案は、調理器具に関し、詳しくは、食卓にて手軽に板海苔を細断するための器具に関するものである。
【背景技術】
【０００２】
（一般に入手可能な板海苔）
店先で販売される板海苔の多くは、定形サイズのものが一定枚数だけ封入されている。
また、上述の定形の板海苔に比して品揃えや流通量は少ないものの、さらに細かく切断された刻み海苔も市販されている。
【０００３】
（一般家庭での刻み海苔の需要）
ところで、一般家庭では、ざる蕎麦、ちらし寿司、お茶漬けなどの料理を調理する際にその料理のトッピングとして刻み海苔が必要となることが多い。しかしながら、一般家庭には、種々の料理に対応可能な市販の定形の板海苔が常備されていることは多いが、用途が限定的な刻み海苔まで用意されていることは少ない。
【０００４】
（刻み海苔が無い場合の対処）
この状況に対処するには、どこの家庭にでもある料理用鋏で定形の板海苔を細断する事が考えられるが、調理の手間が一層増えてしまうし、個々の切断片を所望サイズに均一に細断していくことも思った以上に骨の折れる作業である。このような事情も反映してか、出来上がった細断片は、丁寧に切断されず、サイズもばらばらになってしまうことが多い。
【０００５】
（市販の刻み海苔を使用する場合の不具合）
なお、上述の状況を解消するのに市販の刻み海苔を購入して使用することも勿論可能ではあるが、市販品は、通常、一回分の調理量に適合しないため、余った分は保管しなければならない。そして、次回使用する際には湿気ってしまい、本来の触感を味わえなくなってしまう不都合を生じる。さらに問題なのは、市販の刻み海苔は、通常、製造上の加工の手間から、市販の定形板海苔よりも値段が高くついてしまうことである。
【０００６】
こうした事情に鑑み、本考案者は、定形の板海苔から刻み海苔を簡単に作り出せる調理器具を提供することを開始し、鋭意検討の末、不要紙などの廃棄に通常使用されるシュレッダーの基本的機構を採用しつつも、食卓調理に上手く適合した特徴・構造を付与することで、本考案の調理器具を完成するに至った。
【０００７】
なお、通常、シュレッダーと呼ばれる製品は、不要紙の細断を目的とした事務用機器である。例えば、手軽で持ち運びしやすい事務用シュレッダーには特許文献１，２が挙げられる。また、食品工場などへの利用が考えられる業務用シュレッダーには特許文献３，４が挙げられる。
【０００８】
しかしながら、これらの先行技術は一般家庭での食品（特に、板海苔）の調理に使用されるものでは無い。なお、市販の板海苔の細断を目的とした調理器具として、複数対の金属製鋏刃が連続的に設置された調理バサミが市販されている（非特許文献１を参照）。
【０００９】
しかしながら、この調理器具の鋏刃の各対は分解不能であるため、使用後に海苔片残留物が器具内に留まり易く、器具を洗浄しても残留物を確実に洗い落とすことができない虞がある。また、この種の製品の鋏刃は、通常、３〜５対程度であるため、一回の鋏の開閉操作で細断できる刻み海苔の数量は限定的であるため、何度も鋏の開閉操作を繰り返す必要があり、ユーザーによっては難儀或いは手間だと感じる虞がある。
【先行技術文献】
【特許文献】
【００１０】
【特許文献１】登実第３０７３７５３号公報
【特許文献２】特開２００１−２４６２７７号公報
【特許文献３】実公平０４−０３５１１７号公報
【特許文献４】特開２００６−０６７８１１号公報
【非特許文献】
【００１１】
【非特許文献１】“彩創  きざみ海苔ばさみ（５枚刃）”、ファミリーキッチンのホームページ、［令和2年6月16日検索］、インターネット＜http://www.kitchen-tool.com/goods_HB-655.html＞
【考案の概要】
【考案が解決しようとする課題】
【００１２】
このような事情から本考案は、一般家庭の食卓にて、手軽にかつ必要な量だけ板海苔を細断するための調理器具を提供することを目的とする。
【課題を解決するための手段】
【００１３】
すなわち、本考案は、例えば、次の構成・特徴を採用するものである。
【００１４】
（態様１）
細断ユニットと、
前記細断ユニットを収納する収納ケースと、
を備えた板海苔細断用シュレッダーであって、
前記収納ケースは、海苔挿入口が設けられた第１カバーと、海苔排出口が設けられた第２カバーとを備え、
第１・第２カバーは、前記収納ケースを開閉自在にするよう互いに係合し、かつ、前記細断ユニットを前記収納ケースから出し入れ自在に保持すること
を特徴とする板海苔細断用シュレッダー。
（態様２）
前記細断ユニットが樹脂製であること
を特徴とする態様１に記載の板海苔細断用シュレッダー。
（態様３）
第１・第２カバーは、互いに分離可能に係合し、かつ、樹脂製であること
を特徴とする態様１又は２に記載の板海苔細断用シュレッダー。
（態様４）
前記細断ユニットは、一対を成す第１・第２軸棒を備え、
第１・第２軸棒には、軸方向に離間しかつ外周上に第１・第２刃が付いた第１・第２円形板が設けられ、
第２円形板は、その一部が軸方向において隣接する第１円形板間に入り込むよう配置されていること
を特徴とする態様１〜３のいずれかに記載の板海苔細断用シュレッダー。
（態様５）
第１軸棒の基端には回転ハンドルが設けられ、かつ、第１軸棒の遠端には駆動ギアが設けられ、
第２軸棒の遠端には、前記駆動ギアに噛み合い、かつ、第１軸棒の回転を第２軸棒に伝達する従動ギアが設けられていること
を特徴とする態様４に記載の板海苔細断用シュレッダー。
（態様６）
第１カバーは、第１・第２軸棒の第１・第２円形板の断面に対応した円弧断面を有し、第１・第２円形板の円周からの距離を一定に保つこと
を特徴とする態様４又は５に記載の板海苔細断用シュレッダー。
【考案の効果】
【００１５】
本考案の板海苔細断用シュレッダーによれば、食卓にて手軽にかつ必要量だけ板海苔を細断することが可能となる。
【００１６】
本考案の好適な態様の板海苔細断用シュレッダーによれば、収納ケースを構成する第１・第２カバーや細断ユニットが樹脂で作られているために、本器具を使用後に丸洗いすることができ、本器具を清潔に保つことができる。また、刃も樹脂製であるため、細断ユニットを分解する際や洗う際も怪我の恐れも無く、安全である。
【００１７】
本考案の好適な態様の板海苔細断用シュレッダーによれば、第１カバーが第１・第２軸棒の第１・第２円形板断面に対応した円弧断面を有し、第１・第２円形板の円周からの距離を一定（最小隙間）に保つために、第１カバーの挿入口から導入された板海苔は収納ケース内で詰まることが無い。そして、収納ケース内の板海苔は、第１・第２軸棒の間にスムーズに案内・切断されて、排出口から細断された多数の海苔片が落下するようになる。
【００１８】
また、本考案の好適な態様の板海苔細断用シュレッダーによれば、回転ハンドルで細断ユニットを簡単に操作・駆動できるため、一枚の板海苔を極めて短時間で連続的に細断でき、手が疲れることもない。
【図面の簡単な説明】
【００１９】
【図１】上方向から観察したシュレッダーの斜視図及び分解斜視図である。
【図２】下方向から観察したシュレッダーの斜視図及び分解斜視図である。
【図３】収納ケースの斜視図及び第１・第２軸棒の斜視図である。
【図４】細断ユニットの平面図、正面図、右側面図及び左側面図、並びに開いた状態及び閉じた状態の収納ケースの側面図である。
【図５】細断ユニット内部を通過していく板海苔の状態を示した断面図である。
【図６】本考案のシュレッダーの使用方法及び使用状態を説明した図である。
【図７】本考案のシュレッダーの使用方法及び使用状態を説明した図である。
【図８】本考案のシュレッダーにより細断された海苔片（刻み海苔）及びその幅及び長さを示した図である。
【考案を実施するための形態】
【００２０】
以下、本考案の板海苔細断用シュレッダー１（以下、単に「シュレッダー」とも呼ぶ。）を図面に示す実施例に基づき説明するが、本考案は、下記の具体的な実施例に何等限定されるものではない。なお、各図において同一又は対応する要素には同一符号を用いる。
【実施例】
【００２１】
（板海苔細断用シュレッダーの全体構成）
図１（ａ）に、本考案のシュレッダー１（組付け状態）の斜視図を示し、図１（ｂ）に構成部材毎に分解した状態の分解斜視図を示す。図１（ａ）及び（ｂ）のいずれも斜め上方からシュレッダー１を観察した図である。一方、図２（ａ）及び（ｂ）も同様に、シュレッダー１の斜視図及び分解斜視図であるが、いずれも斜め下方から観察した図である。
【００２２】
本考案のシュレッダー１は、主に、細断ユニット２と、この細断ユニット２を収納する収納ケース３と、から構成される。
【００２３】
（収納ケースの構造）
収納ケース３は、海苔挿入口４１が設けられた第１カバー４と、海苔排出口５１（図２（ａ）及び（ｂ）参照）が設けられた第２カバー５と、を備える。海苔挿入口４１は第１カバー４の幅方向中央に配置され、その長手方向に１０〜１５ｃｍ程度だけ延びたスリット開口部である。海苔排出口５１は第２カバー５の幅方向中央に配置され、その長手方向に１０〜１５ｃｍ程度だけ延びた開口部である。なお、海苔排出口５１には、部分的に、後述する櫛状軸受部８の一部が露出する。
【００２４】
（第１・第２カバーによる収納ケースの開閉機構）
第１・第２カバー４，５は、互いに分離可能に係合して収納ケース３を開閉可能にする。本実施例では第１カバー４の幅方向の一縁にはヒンジ用孔を区画するヒンジ用枠４２が２箇所設けられ、第２カバー５の幅方向の一縁には上述のヒンジ用孔に入り込める寸法を有したヒンジ用凸部５２が２箇所設けられている（図２（ｂ）参照）。
【００２５】
（第１・第２カバーの枢動）
以上の構成を有しかつ夫々独立した第１・第２カバー４，５を上下に向き合わせると、ヒンジ用凸部５２がヒンジ用枠４２に係合して一つのヒンジＨの役割を果たすようになる。より具体的には、図４（ｅ）に示すように、このヒンジＨを基点として、第２カバー５に対して第１カバー４が９０°回転した状態（つまり、収納ケース３が開いた開放状態）になるように第１・第２カバー４，５を相対移動（枢動）できる。この開放状態にしておけば、収納ケース３内部の細断ユニット２の使用状態も確認できるし、細断ユニット２を構成する一部又は全部を出し入れ自在になる。
【００２６】
また、図４（ｆ）に示すように、このヒンジＨを基点として、第１カバー４が第２カバー５にぴたりと向かい合って当接した状態（つまり、収納ケース３が閉じた閉鎖状態）になるように第１・第２カバー４，５を相対移動（枢動）することもできる。なお、図３（ａ）及び（ｂ）は、閉鎖した状態の収納ケース３のみを斜め上方から観察した斜視図及びこれを斜め下方から観察した斜視図を示す。
【００２７】
（第１・第２カバー同士の係止・固定構造）
一方、第１カバー４の幅方向の他縁には枢動アーム４３が設けられている。枢動アーム４３は、その長手方向の両端に内側に向かって突出した枢動ピン４４を介して第１カバー４に枢動自在に取り付けられている。また、枢動アーム４３の内壁の一部には固定用凹部４５が２箇所設けられている。他方、第２カバー５の幅方向の他縁には、枢動アーム４３の固定用凹部４５に対応した位置の２箇所に、固定用凹部４５に係合可能な固定用凸部５３が設けられている。
【００２８】
これにより、収納ケース３が閉じた閉鎖状態にある第１・第２カバー４，５は、枢動アーム４３を枢動させて固定用凹部４５に固定用凸部５３を係合させることにより、互いに固定され、収納ケース３として確実に一体化するようになる。
【００２９】
（構成部品の材質）
次に、本考案のシュレッダー１に適した材質についても言及する。先ず、細断ユニット２（より好適には、これらの構成部品の全て）が樹脂製であることが好ましい。なお、公知の事務用シュレッダーでは通常、金属製の細断ユニットが使用されるが、以下の理由から樹脂材料の採用が望ましい。すなわち、本器具の細断対象は食品たる板海苔１０である。そして、衛生上の懸念から本器具を使用した後は毎回、細断ユニット２に付着した細断残留物（海苔片）を洗い落すことが望ましい。
【００３０】
本考案のシュレッダー１は、開閉可能な収納ケース３から細断ユニット２だけを取り出すことが容易であるため、これだけを洗浄し、細断残留物を洗い落とすことも可能である。
【００３１】
同様の理由から、細断ユニット２以外の構成部材、例えば、第１・第２カバー４，５も樹脂製であることが好ましい。これにより、本器具の全ての構成部品を分離して、食洗器等を利用して個々に洗浄・乾燥することができる。洗浄後の清潔な各構成部品は上述のような係合構造を有しているため、容易にシュレッダー１として組付けられ、操作することができるようになる。
【００３２】
（細断ユニットの構造）
次に、本考案の細断ユニット２の詳細な構造についても言及する。細断ユニット２は、図３（ｃ），（ｄ）及び図４（ａ）〜（ｄ）に示すように、一対を成す第１・第２軸棒６，７を備える。第１・第２軸棒６，７には、夫々、軸方向に延びた一本の第１・第２軸体６１，７１が形成される。
【００３３】
第１・第２軸体６１，７１は櫛状軸受部８に回転可能に着座する。また、第１・第２軸体６１，７１の基端は、収納カバー３の通し孔３１を通して収納ケース３の外部に突出し、後述の回転ハンドル９が接続される。通し孔３１は、第１・第２カバー４，５が組付けられた際に、第１・第２カバー４，５に形成された同寸法の半円開口部４６，５６が向き合うことで形成される。一方、第１・第２軸体６１，７１の遠端は、図１（ｂ）及び図２（ｂ）に示すように、第１・第２カバー４，５の内側に設置された遠端軸受板４７，５７の半円開口部４８，５８に枢支される。
【００３４】
これらの第１・第２軸体６１，７１には、夫々、軸方向に一定間隔Ｐで離間した第１・第２円形板６２，７２が多数枚、連続的に設けられる。第１・第２円形板６２，７２の外周上には、板海苔１０を切断するための第１・第２刃６３，７３が付いている。図示の例では、第１・第２円形板６２，７２の外周上に、第１・第２刃６３，７３が１つだけ形成されているが、必ずしもこの例に限定されない。また、図示の例では、第１・第２刃６３，７３は、径方向外側に先端（頂点）を有しかつ第１・第２円形板６２，７２に基端（底辺）が接続した三角板状を成す。
【００３５】
第１・第２円形板６２，７２は、第１・第２軸体６１，７１の径方向外側に拡張するように延びている。そして、隣接する第１・第２円形板６２，７２は互い違いに（又は相補的に）配置されている。具体的には、第２軸棒７の第２円形板７２は軸方向において、該円形板７２に隣接した第１軸棒６の第１円形板６２，６２間に配置されていることが好ましい。
【００３６】
さらに、第１軸棒６の基端には回転ハンドル９が設けられ、かつ、第１軸棒６の遠端には駆動ギア６４が設けられる。一方、第２軸棒７の遠端には、駆動ギア６４に噛み合い、かつ、第１軸棒６の回転を第２軸棒７に伝達する従動ギア７４が設けられている。以上のように構成された細断ユニット２によれば、収納ケース３内に挿入された板海苔１０の円滑な移動・細断が実現されるようになる。つまり、上述の回転式の本考案の調理器具であれば、従来のハサミ式の海苔細断器具に比べると、はるかに手が疲れないで済む。
【００３７】
第１カバー４は、第１・第２軸棒６，７の第１・第２円形板６２，７２の断面に対応した円弧断面を有し、第１・第２円形板６２，７２の外周からの距離を一定（例えば、２〜５ｍｍ程度の最小隙間）に保つことが好ましい。これにより、第１カバー４の海苔挿入口４１から導入された板海苔１０は収納ケース３内で詰まりにくくなる。そして、収納ケース３内の板海苔１０は、第１・第２軸棒６，７の間に円滑に案内・切断されて、第２カバー５の海苔排出口５１から細断された多数の海苔片（刻み海苔）１１が落下するようになる。
【００３８】
なお、図５は、細断ユニット２内部を通過していく板海苔１０の状態や細断ユニット２の動作の状態を示した断面図である。図５（ａ）は板海苔１０を第１カバー４の海苔挿入口４１に挿入する直前の状態を示し、図５（ｂ）は回転ハンドル９を回動させることで、第１・第２軸棒６，７を回動させ、ひいては、第１・第２円形板６２，７２及び第１・第２刃６３，７３によって板海苔１０を挟持・導引しながら切断していく状態を示し、図５（ｃ）は、回転ハンドル９をさらに回動させることで、切断された海苔片１１が海苔排出口５１からその自重により落下する状態を示す。
【００３９】
以上のような構成の細断ユニット２により、板海苔１０は、その幅方向には第１・第２円形板６２，７２の軸方向ピッチＰ（本実施例では等間隔、図４（ａ）を参照）にて切断される。一方、板海苔１０は、長手方向（進行方向）には第１・第２刃６３，７３の位相距離Ｃ毎に切断される。なお、本実施例では、図４（ｇ）に示すように、直径Ｄを有した第１・第２円形板６２，７２に第１・第２刃６３，７３が一箇所のみ設けられているため、回転により第１・第２刃６３，７３が板海苔１０に接触するまでの距離は第１・第２円形板の円周一周の長さＣである。
【００４０】
図８（ｃ）は、板海苔１０に細断ユニット２により細断される細断線を書き入れた板海苔１０の平面図である。図示の例では軸方向ピッチＰ（つまり、刻み海苔１１の幅）は約１〜５ｍｍ（好ましくは２〜３ｍｍ）であり、位相距離Ｃ（つまり、刻み海苔１１の長さ）は約５〜１０ｃｍ（好ましくは６〜７ｃｍ）である。
【００４１】
また、第１・第２円形板６２，７２への第１・第２刃６３，７３の形成位置を各円形板毎に変える（例えば、ずらす）ことで、海苔排出口５１から排出される刻み海苔１１は、軸方向に同時に落下せずに、ばらばらの（つまり、ずれた）タイミングで落下するようになる。
【００４２】
（シュレッダーの使用方法）
本考案のシュレッダー１の使い方は極めて簡単である。なお、図６，図７は、本考案のシュレッダー１の使用方法及び使用状態を説明した図（写真）である。
【００４３】
先ず、全ての構成部品を組付けた状態のシュレッダー１を用意する（図６（ａ）参照）。そして、第１カバー４の海苔挿入口４１に板海苔１０の一端側を差し込む（図６（ｂ）参照）。板海苔１０の一端が差し込まれたシュレッダー１を両手で持ち上げつつ、片方の手で回転ハンドル９を掴む（図６（ｃ）参照）。回転ハンドル９の回転操作を続けることで、図７（ａ）及び（ｂ）に示すように、板海苔１０は収納ケース３内を上方から下方に移動していき、細断ユニット２にて細断され、細断された海苔片（刻み海苔）１１が海苔排出口５１から落下する。
【００４４】
なお、シュレッダー１の使用後は、枢動アーム４３を外方向に枢動することでそのロック状態を解除して、図７（ｃ）に示すように、第１・第２カバー４，５を分離し、残留物が付いた第１・第２軸棒６，７を取り出して、図示しないシンクや食洗器にて残留物を容易に洗い落すことができ、清潔に保つことができる。
【産業上の利用可能性】
【００４５】
本考案の板海苔細断用シュレッダーによれば、食卓にて手軽にかつ必要量だけ板海苔を細断することが可能となる。
【００４６】
本考案の好適な態様の板海苔細断用シュレッダーによれば、収納ケースを構成する第１・第２カバーや細断ユニットが樹脂で作られているために、本器具を使用後に丸洗いすることができ、本器具を清潔に保つことができる。また、刃も樹脂製であるため、細断ユニットを分解する際や洗う際も怪我の恐れも無く、安全である。
【００４７】
本考案の好適な態様の板海苔細断用シュレッダーによれば、第１カバーが第１・第２軸棒の第１・第２円形板断面に対応した円弧断面を有し、第１・第２円形板の円周からの距離を一定（最小隙間）に保つために、第１カバーの挿入口から導入された板海苔は収納ケース内で詰まることが無い。そして、収納ケース内の板海苔は、第１・第２軸棒の間にスムーズに案内・切断されて、排出口から細断された多数の海苔片が落下するようになる。
【００４８】
また、本考案の好適な態様の板海苔細断用シュレッダーによれば、回転ハンドルで細断ユニットを簡単に操作・駆動できるため、一枚の板海苔を極めて短時間で連続的に細断でき、手が疲れることもない。
【００４９】
このように本考案のシュレッダーは、産業上の利用価値及び産業上の利用可能性が非常に高い。
【符号の説明】
【００５０】
１    シュレッダー
２    細断ユニット
３    収納ケース
４，５    第１・第２カバー
６，７    第１・第２軸棒
８    櫛状軸受部
９    回転ハンドル
１０    板海苔
１１    海苔片（刻み海苔）
３１    通し孔
４１，５１    海苔挿入口，海苔排出口
４２，５２    ヒンジ用枠，ヒンジ用凸部
４３，４４    枢動アーム，枢動ピン
４６，４８，５６，５８    半円開口部
４７，５７    遠端軸受板
４５，５３    固定用凹部，固定用凸部
６１，７１    第１・第２軸体
６２，７２    第１・第２円形板
６３，７３    第１・第２刃
６４，７４    駆動ギア，従動ギア
Ｃ    位相距離（刻み海苔の長さ，第１・第２円形板の円周長さ）
Ｄ    第１・第２円形板の直径
Ｐ    軸方向ピッチ（刻み海苔の幅）
Ｈ    ヒンジ
【図１】
0003228492.tif 000003
【図２】
0003228492.tif 000004
【図３】
0003228492.tif 000005
【図４】
0003228492.tif 000006
【図５】
0003228492.tif 000007
【図６】
0003228492.tif 000008
【図７】
0003228492.tif 000009
【図８】
0003228492.tif 000010
【手続補正書】
【提出日】令和2年7月22日(2020.7.22)
【手続補正１】
【補正対象書類名】実用新案登録請求の範囲
【補正対象項目名】全文
【補正方法】変更
【補正の内容】
【実用新案登録請求の範囲】
【請求項１】
細断ユニットと、
前記細断ユニットを収納する収納ケースと、
を備えた板海苔細断用シュレッダーであって、
前記収納ケースは、海苔挿入口が設けられた上側の第１カバーと、海苔排出口が設けられかつ第１カバーに向き合わされた下側の第２カバーと、第１・第２カバーを上下に開閉自在に係合するヒンジと、を備え、
第１・第２カバーは夫々、凹部断面を成し、
前記ヒンジにより第１・第２カバーを閉じた状態では、互いの前記凹部が対向して前記細断ユニットを前記収納ケース内に収納・保持するための収納空間を形成し、
前記ヒンジにより第１・第２カバーを開いた状態では、前記収納空間が露出して、前記収納ケースから前記細断ユニットを取り出し可能となること
を特徴とする板海苔細断用シュレッダー。
【請求項２】
前記細断ユニットが樹脂製であること
を特徴とする請求項１に記載の板海苔細断用シュレッダー。
【請求項３】
第１・第２カバーは、樹脂製であり、かつ、
前記ヒンジは、第１・第２カバーの一方に設けられたヒンジ用枠と、第１・第２カバーの他方に設けられかつ前記ヒンジ用枠に着脱可能なヒンジ用凸部と、を備え、
前記ヒンジ用枠に前記ヒンジ用凸部を着脱することにより、前記ヒンジは、第１・第２カバーを分離可能に係合すること
を特徴とする請求項１又は２に記載の板海苔細断用シュレッダー。
【請求項４】
前記細断ユニットは、一対を成す第１・第２軸棒を備え、
第１・第２軸棒には、軸方向に離間しかつ外周上に第１・第２刃が付いた第１・第２円形板が設けられ、
第２円形板は、その一部が軸方向において隣接する第１円形板間に入り込むよう配置されていること
を特徴とする請求項１〜３のいずれかに記載の板海苔細断用シュレッダー。
【請求項５】
第１軸棒の基端には回転ハンドルが設けられ、かつ、第１軸棒の遠端には駆動ギアが設けられ、
第２軸棒の遠端には、前記駆動ギアに噛み合い、かつ、第１軸棒の回転を第２軸棒に伝達する従動ギアが設けられていること
を特徴とする請求項４に記載の板海苔細断用シュレッダー。
【請求項６】
第１カバーは、第１・第２軸棒の第１・第２円形板の断面に対応した円弧断面を有し、第１・第２円形板の円周からの距離を一定に保つこと
を特徴とする請求項４又は５に記載の板海苔細断用シュレッダー。
【手続補正２】
【補正対象書類名】明細書
【補正対象項目名】００１４
【補正方法】変更
【補正の内容】
【００１４】
（態様１）
細断ユニットと、
前記細断ユニットを収納する収納ケースと、
を備えた板海苔細断用シュレッダーであって、
前記収納ケースは、海苔挿入口が設けられた上側の第１カバーと、海苔排出口が設けられかつ第１カバーに向き合わされた下側の第２カバーと、第１・第２カバーを上下に開閉自在に係合するヒンジと、を備え、
第１・第２カバーは夫々、凹部断面を成し、
前記ヒンジにより第１・第２カバーを閉じた状態では、互いの前記凹部が対向して前記細断ユニットを前記収納ケース内に収納・保持するための収納空間を形成し、
前記ヒンジにより第１・第２カバーを開いた状態では、前記収納空間が露出して、前記収納ケースから前記細断ユニットを取り出し可能となること
を特徴とする板海苔細断用シュレッダー。
（態様２）
前記細断ユニットが樹脂製であること
を特徴とする態様１に記載の板海苔細断用シュレッダー。
（態様３）
第１・第２カバーは、樹脂製であり、かつ、
前記ヒンジは、第１・第２カバーの一方に設けられたヒンジ用枠と、第１・第２カバーの他方に設けられかつ前記ヒンジ用枠に着脱可能なヒンジ用凸部と、を備え、
前記ヒンジ用枠に前記ヒンジ用凸部を着脱することにより、前記ヒンジは、第１・第２カバーを分離可能に係合すること
を特徴とする態様１又は２に記載の板海苔細断用シュレッダー。
（態様４）
前記細断ユニットは、一対を成す第１・第２軸棒を備え、
第１・第２軸棒には、軸方向に離間しかつ外周上に第１・第２刃が付いた第１・第２円形板が設けられ、
第２円形板は、その一部が軸方向において隣接する第１円形板間に入り込むよう配置されていること
を特徴とする態様１〜３のいずれかに記載の板海苔細断用シュレッダー。
（態様５）
第１軸棒の基端には回転ハンドルが設けられ、かつ、第１軸棒の遠端には駆動ギアが設けられ、
第２軸棒の遠端には、前記駆動ギアに噛み合い、かつ、第１軸棒の回転を第２軸棒に伝達する従動ギアが設けられていること
を特徴とする態様４に記載の板海苔細断用シュレッダー。
（態様６）
第１カバーは、第１・第２軸棒の第１・第２円形板の断面に対応した円弧断面を有し、第１・第２円形板の円周からの距離を一定に保つこと
を特徴とする態様４又は５に記載の板海苔細断用シュレッダー。